(57)【要約】【課題】装置動作中の電源停止後に再度電源を入れた場合の自動復旧動作を、バックアップメモリを用いることなく行え、装置の操作性向上を図れる孔版印刷装置を提供する。【解決手段】マスタ３４０を作成する製版部３、マスタの先端を開閉可能なクランパ１１で把持して巻着する印刷ドラム７と印刷ドラムに圧接する印圧部材９とを用いて用紙５０にインキ画像を印刷する印刷部２、印刷ドラム７に巻着されている製版済マスタを廃棄のために収納する排版部５、電源再投入時の各部の状態を検出する状態検出手段２６，７０，７３と有し、これら状態検出手段からの検出結果と予め記憶した判断条件則情報とから電源停止時点の各部の動作状況を解析し、解析された状況に応じて予め記憶した判断条件則情報に対応する復旧動作情報を選択して対応する復旧動作を制御手段２４からの指令によって実行する。【選択図】  図１
2004188789.tif 000002
【特許請求の範囲】
【請求項１】
製版済マスタを作成する製版部、前記製版済マスタの先端を開閉可能なクランパで把持して巻着する印刷ドラムと前記印刷ドラムに圧接する印圧部材とを用いて用紙にインキ画像を印刷する印刷部、前記印刷ドラムに巻着されている製版済マスタを廃棄のために収納する排版部を有する孔版印刷装置において、
電源再投入時の各部の状態を検出する状態検出手段と、
判断条件則情報及びこの判断条件則情報に対応する復旧動作情報とが予め記憶されていて、前記状態検出手段からの検出結果と前記判断条件則情報とを比較して電源停止時点の各部の動作状況を解析し、解析された状況に応じて前記復旧動作情報を選択して対応する部に復旧動作を実行させる制御手段とを有する孔版印刷装置。
【請求項２】
請求項１記載の孔版印刷装置において、
前記状態検知手段は、前記クランパの開閉状態を検知する開閉検知センサと、前記印刷ドラムの初期位置を検知するホームポジションセンサと、前記排版部内への製版済マスタの取込状態を検知する排版センサであり、
前記判断条件則情報は、前記開閉検知センサからの情報と前記ホームポジションセンサからの情報と前記排版センサからの情報とから排版部の状況を解析する排版処理動作則を有する孔版印刷装置。
【請求項３】
請求項２記載の孔版印刷装置において、
前記排版処理動作則は、前記排版部によるマスタ巻取り開始前の状況である第１排版処理則と、前記排版部によるマスタ巻取り開始後の状況である第２排版処理則とを有し、
前記制御手段は、前記開閉検知センサからの情報がクランパ開状態を示し、前記ホームポジションセンサからの情報が前記印刷ドラムの初期位置を示し、前記排版センサからの情報がマスタ取込み前状態を示すときには第１排版処理則と解析し、前記開閉検知センサからの情報がクランパ開状態を示し、前記ホームポジションセンサからの情報が前記印刷ドラムの初期位置を示し、前記排版センサからの情報がマスタ取込み後である状態を示すときには第２排版処理則と解析することを特徴とする孔版印刷装置。
【請求項４】
請求項３記載の孔版印刷装置において、
前記復旧動作情報は、第１排版処理則の場合に選択される第１排版復旧動作モードと、第２排版処理則の場合に選択される第２排版復旧動作モードとを有し、前記制御手段は、第１排版処理則の際中に装置の電源が切られた場合には、第１排版復旧動作モードを選択し、第２排版処理則の際中に装置の電源が切られた場合には、第２排版復旧動作モードを選択することを特徴とする孔版印刷装置。
【請求項５】
請求項４記載の孔版印刷装置において、
前記排版部に前記製版済マスタの回収動作を行わせる排版駆動部と、前記印刷ドラムを回転するドラム駆動部とを有し、
前記制御手段は、第１及び第２排版復旧動作モードの時には、前記ドラム駆動部を駆動して前記印刷ドラムを回転させるとともに、前記排版駆動部を駆動して前記排版部に排版動作を行わせることを特徴とする孔版印刷装置。
【請求項６】
請求項１記載の孔版印刷装置において、
前記状態検知手段は、前記クランパの開閉状態を検知する開閉検知センサと、前記印刷ドラムの初期位置を検知するホームポジションセンサであり、
前記判断条件則情報は、前記開閉検知センサからの情報と前記ホームポジションセンサからの情報とから前記製版部の状況を解析する製版処理動作則を有する孔版印刷装置。
【請求項７】
請求項６記載の孔版印刷装置において、
前記製版処理動作則は、前記クランパによる製版済マスタ先端のクランプ前状況である第１製版処理則と、前記クランパによる製版済マスタ先のクランプ後状況である第２製版処理則とを有し、
前記制御手段は、前記開閉検知センサからの情報がクランパ開状態を示し、前記ホームポジションセンサからの情報が前記印刷ドラムが初期位置にないことを示すときには第１製版処理則と解析し、前記開閉検知センサからの情報がクランパ閉状態を示し、前記ホームポジションセンサからの情報が前記印刷ドラムが初期位置にないことを示すときには第２製版処理則と解析することを特徴とする孔版印刷装置。
【請求項８】
請求項７記載の孔版印刷装置において、
前記復旧動作情報は、第１製版処理則の場合に選択される第１製版復旧動作モードと、第２製版処理則の場合に選択される第２製版復旧動作モードとを有し、前記制御手段は、第１製版処理則の際中に装置の電源が切られた場合には、第１製版復旧動作モードを選択し、第２製版処理則の際中に装置の電源が切られた場合には、第２製版復旧動作モードを選択することを特徴とする孔版印刷装置。
【請求項９】
請求項８記載の孔版印刷装置において、
前記印刷ドラムを回転するドラム駆動部と、前記製版部で製版されたマスタを切断する切断手段の切断駆動部と、前記用紙を装置外に排出する排紙部の駆動部とを有し、
前記制御手段は、第１製版復旧動作モードの時には、前記切断駆動部を駆動して前記製版手段で製版されたマスタを切断し、第２製版復旧動作モードの時には、前記切断駆動部を駆動して前記製版手段で製版されたマスタを切断するとともに前記ドラム駆動部を駆動して前記印刷ドラムを印刷時の回転方向に１回転以上回転させ、前記排紙部の駆動部を駆動することを特徴とする孔版印刷装置。
【請求項１０】
請求項９記載の孔版印刷装置において、
前記第１製版復旧動作モードの際に、第１製版復旧モードが選択されていることを表示する表示手段を有することを特徴とする孔版印刷装置。
【発明の詳細な説明】
【０００１】
【発明の属する技術分野】
本発明は、動作途中で装置が停止した後の電源再投入時に、自動的に停止状態に応じた復旧動作を行う孔版印刷装置に関する。
【０００２】
【従来の技術】
バックアップメモリを有する孔版印刷装置では、電源停止前の装置の稼働状況をバックアップメモリに記憶している。そして、装置動作中に電源停止した後、再度電源を投入した際には、バックアップメモリの記憶を呼び出して電源停止前の稼働状況を判断し、これに応じた復旧動作を自動で行うことにより装置操作者による復旧作業を軽減している。
バックアップメモリを持たない孔版印刷装置では、電源停止前の装置の動作状況を記憶することができないので、装置動作中の電源停止した後、再度電源を投入した際には電源停止前の稼働状況に関わらず各機器のホームポジション出しを行うのみであった。
【０００３】
【発明が解決しようとする課題】
バックアップメモリを有する孔版印刷装置では、装置動作中に装置が突然停止しても自動復旧することができるが、バックアップメモリが高価であるので装置全体のコストが高くなるという課題がある。バックアップメモリを持たない孔版印刷装置においては、バックアップメモリの無い分、装置のコストを低くできる反面、復旧作業を装置操作者の手動で行う必要があった。このため、装置動作中の電源停止した後に再度電源を投入した際、装置操作者は次の作業を強いられていた。
排版中の電源停止後、電源投入時においては、排版ジャムが発生するので、詰まった排版を取り除いてから作業を行う必要があった。製版中の電源停止後、電源投入時においては、マスタのジャムが発生するので詰まったマスタを取り除いてから作業を行う必要があった。これら二つの作業は、作業者の手がインキで汚れるため、不快な作業であった。
本発明は、装置動作中の電源停止後に再度電源を入れた場合の自動復旧動作を、バックアップメモリを用いることなく行え、装置の操作性向上を図れる孔版印刷装置を提供することを目的とする。
【０００４】
【課題を解決するための手段】
本発明は、装置動作中の電源停止後に電源を再投入した時点での各部の状態からどのような状況で電源停止したかが考えられるかということに着目し、その状態を判断するための条件を洗い出して分析し、判断条件則情報として予め制御手段に記憶させておき、電源再投入した時点で各部の状態を収集し、この収集した状態と判断条件則情報とを比較して解析し、電源停止前の機械の動作状況を判断し、判断の結果により最適な復旧動作を選択するようにした。
【０００５】
すなわち、請求項１では、製版済マスタを作成する製版部、製版済マスタの先端を開閉可能なクランパで把持して巻着する印刷ドラムと印刷ドラムに圧接する印圧部材とを用いて用紙にインキ画像を印刷する印刷部、印刷ドラムに巻着されている製版済マスタを廃棄のために収納する排版部と、電源再投入時の各部の状態を検出する状態検出手段と、判断条件則情報及び判断条件則情報に対応する復旧動作情報とが予め記憶されていて、状態検出手段からの検出結果と判断条件則情報とを比較して電源停止時点の各部の動作状況を解析し、解析された状況に応じて復旧動作情報を選択して対応する部に復旧動作を実行させる制御手段とを有する孔版印刷装置を提案している。
【０００６】
請求項２にかかる発明は、請求項１記載の孔版印刷装置において、状態検知手段が、クランパの開閉状態を検知する開閉検知センサと、印刷ドラムの初期位置を検知するホームポジションセンサと、排版部内への製版済マスタの取込状態を検知する排版センサであり、判断条件則情報が、開閉検知センサからの情報とホームポジションセンサからの情報と排版センサからの情報とから排版部の状況を解析する排版処理動作則を有することを特徴としている。
【０００７】
請求項３にかかる発明は、請求項２記載の孔版印刷装置において、排版処理動作則が、排版部によるマスタ巻取り開始前の状況である第１排版処理則と、排版部によるマスタ巻取り開始後の状況である第２排版処理則とを有し、制御手段が、開閉検知センサからの情報がクランパ開状態を示し、ホームポジションセンサからの情報が印刷ドラムの初期位置を示し、排版センサからの情報がマスタ取込み前状態を示すときには第１排版処理則と解析し、開閉検知センサからの情報がクランパ開状態を示し、ホームポジションセンサからの情報が印刷ドラムの初期位置を示し、排版センサからの情報がマスタ取込み後である状態を示すときには第２排版処理則と解析することを特徴としている。
【０００８】
請求項４にかかる発明は、請求項３記載の孔版印刷装置において、復旧動作情報は、第１排版処理則の場合に選択される第１排版復旧動作モードと、第２排版処理則の場合に選択される第２排版復旧動作モードとを有し、制御手段が、第１排版処理則の際中に装置の電源が切られた場合には第１排版復旧動作モードを、第２排版処理則の際中に装置の電源が切られた場合には第２排版復旧動作モードをそれぞれ選択することを特徴としている。
【０００９】
請求項５にかかる発明は、請求項４記載の孔版印刷装置において、排版部に製版済マスタの回収動作を行わせる排版駆動部と、印刷ドラムを回転するドラム駆動部とを有し、制御手段が、第１及び第２排版復旧動作モードの時にはドラム駆動部を駆動して印刷ドラムを回転させるとともに、排版駆動部を駆動して排版部に排版動作を行わせることを特徴としている。
【００１０】
請求項６にかかる発明は、請求項１記載の孔版印刷装置において、状態検知手段は、クランパの開閉状態を検知する開閉検知センサと、印刷ドラムの初期位置を検知するホームポジションセンサであり、判断条件則情報は、開閉検知センサからの情報とホームポジションセンサからの情報とから製版部の状況を解析する製版処理動作則を有することを特徴としている。
【００１１】
請求項７にかかる発明は、請求項６記載の孔版印刷装置において、製版処理動作則は、クランパによる製版済マスタ先端のクランプ前状況である第１製版処理則と、クランパによる製版済マスタ先のクランプ後状況である第２製版処理則とを有し、制御手段が、開閉検知センサからの情報がクランパ開状態を示し、ホームポジションセンサからの情報が印刷ドラムが初期位置にないことを示すときには第１製版処理則と解析し、開閉検知センサからの情報がクランパ閉状態を示し、ホームポジションセンサからの情報が印刷ドラムが初期位置にないことを示すときには第２製版処理則と解析することを特徴としている。
【００１２】
請求項８にかかる発明は、請求項７記載の孔版印刷装置において、復旧動作情報は、第１製版処理則の場合に選択される第１製版復旧動作モードと、第２製版処理則の場合に選択される第２製版復旧動作モードとを有し、制御手段が、第１製版処理則の際中に装置の電源が切られた場合には第１製版復旧動作モードを、第２製版処理則の際中に装置の電源が切られた場合には第２製版復旧動作モードをそれぞれ選択することを特徴としている。
【００１３】
請求項９にかかる発明は、請求項８記載の孔版印刷装置において、印刷ドラムを回転するドラム駆動部と、製版部で製版されたマスタを切断する切断手段の切断駆動部と、用紙を装置外に排出する排紙部の駆動部とを有し、制御手段は、第１製版復旧動作モードの時には、切断駆動部を駆動して製版手段で製版されたマスタを切断するとともに、第２製版復旧動作モードの時には、切断駆動部を駆動して製版手段で製版されたマスタを切断するとともにドラム駆動部を駆動して印刷ドラムを印刷時の回転方向に１回転以上回転させ、排紙部の駆動部を駆動することを特徴としている。
【００１４】
請求項１０にかかる発明は、請求項９記載の孔版印刷装置において、第１製版復旧動作モードの際に、第１製版復旧モードが選択されていることを表示する表示手段を有することを特徴としている。
【００１５】
【発明の実施の形態】
本発明の実施の形態を図面に基づいて説明する。本発明にかかる孔版印刷装置は、例えば、図２に概要を示すような単胴式の孔版印刷装置１に適用されている。この孔版印刷装置１は、印刷部２、製版部３、給紙部４、排版部５、排紙部６及び制御手段２４とを主要部として構成されている。
【００１６】
印刷部２は、印刷ドラムとしての多孔質の版胴７とインキ供給手段８と印刷部材としてのプレスローラ９とを主として構成されている。版胴７は、図３に示すドラム駆動部としてのドラム駆動モータ１２によって印刷方向と同方向に回転駆動される。本形態において、印刷方向とは時計周り方向を反対方向とは反時計周り方向を指す。
【００１７】
版胴７の外周面上には、版胴外周面の母線と同方向に延在するステージ部１０と、ステージ部１０と相まって後述する製版済マスタ３４０の先端を把持するクランパ１１とが配設されている。クランパ１１は支軸１１ａに回転自在に支持され、ステージ部１０に対して開閉自在に設けられている。クランパ１１は、図示しない開閉機構によって、版胴７が図２に示す位置を占めると開閉動作される。ステージ部１０には、クランパ１１の開閉状態を検知する状態検出手段としての開閉検知センサ７０が配設されている。この開閉検知センサ７０は、クランパ１１が開き状態の時にはオフ状態であり、クランパ１１が閉じ状態となるとオン信号を出力するように構成されている。
【００１８】
インキ供給手段８は版胴７の内部に配設されている。インキ供給手段８はインキ供給パイプ１３とインキローラ１４とドクタローラ１５とで主に構成されている。版胴７の支持軸を兼ねるインキ供給パイプ１３は、一端を孔版印刷装置１の図示しない筐体側板に回転自在に支持されており、その表面には、版胴７の内部にインキを供給するための無数の小さな孔が穿設されている。インキ供給パイプ１３の下方には、インキローラ１４とドクタローラ１５とが配設されている。版胴７の側板に回転自在に支持されたこのインキローラ１４は、その外周面を版胴７の内周面と当接させており、インキ供給パイプ１３より供給されたインキを版胴７に供給する。このインキローラ１４の近傍に位置して回転自在なドクタローラ１５は、その外周面とインキローラ１４の外周面との間に僅かな間隙が生ずるように配設されている。これにより、ドクタローラ１５とインキローラ１４との外周面の近接部において、楔状のインキ溜り１６が形成されている。よって、インキ供給パイプ１３よりこのインキ溜り１６へ供給されたインキは、インキローラ１４とドクタローラ１５との間隙を通過することにより均一な層状とされ、インキローラ１４の外周面に供給される。
【００１９】
版胴７の側板には、母線方向に延出させたドグ２５が固着されている。版胴７の回転に伴って移動するドグ２５の円軌道上には、状態検出手段としてのホームポジションセンサ２６が配設されている。このホームポジションセンサ２６は装置の筐体に取り付けられており、ドグ２５がその検知部を通過する際に、制御手段２４へ向けて信号を出力する。より具体的には、このホームポジションセンサ２６は、クランパ１１が図１において真上に位置するときにドグ２５を検知してオン信号を出力し、ドグ２５を検知しないときはオフ状態となるように構成されている。
【００２０】
ドラム駆動モータ１２の出力軸には、エンコーダ２２が設けられている。このエンコーダ２２の外周部の一部に対してはパルス検出センサ２３が設けられている。これにより、ドラム駆動モータ１２は、パルス検出センサ２３によってその回転角度が検出され、検出された角度信号は後述するパルスカウンタ＆比較器９２を通過した後、制御手段２４に入力される。
【００２１】
版胴７の下方には、図示しない周知の揺動手段に支持されて、その外周面を版胴７の外周面に対して接離自在で回転自在なプレスローラ９が配設されている。プレスローラ９は給紙部４より給紙される用紙５０を版胴７に押圧してこの用紙上にインキ画像を形成させる機能を備えている。接離機構は、版胴７の回転と連動しており、クランパ１１がプレスローラ９との対向部を通過する際に版胴外周面からプレスローラ９の外周面を離間するように構成されている。
【００２２】
製版部３は製版済マスタ３４０を作成するもので、印刷部２の右側上方に配設されており、マスタ貯容手段２８と製版手段２９と切断手段３０と搬送手段３１等で主に構成されている。マスタ貯容手段２８は、筐体に固着されたマスタ貯容部材３３等で主として構成されている。マスタ貯容部材３３は、未製版マスタ３４をロール状に巻回してなるマスタロール３５の芯部３５ａを回転自在に支持している。製版手段２９はマスタ貯容手段２８の左方に配設され、プラテンローラ３６、サーマルヘッド３７等を主として構成されている。プラテンローラ３６は、筐体の側板に回転自在に支持され、図３に示すように製版駆動部を構成するステッピングモータ７７によって回転駆動される。多数の発熱素子を有するサーマルヘッド３７も筐体の側板に取り付けられており、図示しない付勢手段によって付勢されることでプラテンローラ３６に圧接されている。
【００２３】
切断手段３０は製版手段２９のマスタ搬送方向の下流側に配設されている。切断手段３０は、筐体に取り付けられた固定刃３０ａと固定刃３０ａに対して回転移動する可動刃３０ｂとにより構成されている。可動刃３０ｂには、図３に示す切断駆動部となるカットモータ７１が接続されていて、カットモータ７１が駆動すると製版済マスタ３４０を切断するように構成されている。切断手段３０のマスタ搬送方向の下流側には搬送手段３１とマスタの搬送をガイドするガイド板３８，３９等が配設されている。搬送手段３１は、図３に示すように製版駆動部を構成する製版駆動モータ７８により回転駆動される駆動ローラ３１ａ，３１ｃと、これらの駆動ローラ３１ａ，３１ｃと連れ回りする従動ローラ３１ｂ，３１ｄとよりなる搬送ローラ対により構成されている。
【００２４】
印刷部２の上方であって筐体の上部には、原稿画像を読み取る原稿読取部３２が配設されている。原稿読取部３２は、ＡＤＦ（自動原稿搬送）部４０、光学系となるコンタクトガラス４１、蛍光灯４２、ミラー群４３、縮小結像レンズ４４、画像読取センサ４５等による周知の構成とされている。光学系の部分には、周知の密着等倍センサを用いた構成であってもよい。
【００２５】
給紙部４は製版部３の下方であって、印刷部２に対する用紙搬送方向上流側に配設されている。この給紙部４は給紙トレイ４６と給紙ローラ４７と分離手段４８とレジストローラ対４９とを主として構成されている。上面に印刷用紙５０が積載される給紙トレイ４６は、印刷用紙５０の増減に連動して、筐体に上下動自在に支持されている。この給紙トレイ４６には、サイドフェンンス５１と、このサイドフェンス５１の移動に伴って印刷用紙５０の幅を検知する用紙幅検知センサ５２とが設けられている。給紙ローラ４７は、給紙トレイ４６上の最上位の印刷用紙５０と当接するように設けられており、図示しない駆動モータによって回転駆動される。分離手段４８は、図示しない駆動モータによって回転駆動される駆動ローラ４８ａとこの駆動ローラ４８ａに当接するように筐体側板に固定された分離パッド４８ｂとからなり、駆動ローラ４８ａが給紙トレイ４６上の最上位の印刷用紙５０に当接するように設けられている。
【００２６】
これにより、給紙ローラ４７によって複数枚の印刷用紙５０が引き出された場合、その最上位の１枚の印刷用紙５０に分離するように構成されている。レジストローラ対４９は、分離手段４８によって給送された印刷用紙５０を喰え込み、版胴７の回転及びプレスローラ９の揺動動作と同期して、版胴７の外周面とプレスローラ９との間に印刷用紙５０を給送する。
【００２７】
排版部５は印刷部２の左方に配設され版胴７に巻着されている製版済マスタ３４０を廃棄のために収納するものであって、上部排版部材５３、下部排版部材５４、排版ボックス５５、圧縮板５６等から主に構成されている。上部排版部材５３は図３に示すよう排版駆動部を構成する排版駆動モータ７４により回転駆動される駆動ローラ５７と従動ローラ５８とこれらのローラ５７，５８間に掛け渡されたゴムベルト５９とにより構成されている。下部排版部材５４は駆動ローラ５７に図示しないギヤ等の周知の伝達機構で連結されて回転駆動される駆動ローラ６０と従動ローラ６１とこれらのローラ６０，６１間に掛け渡されたゴムベルト６２とにより構成されている。この下部排版部材５４は駆動ローラ５７の支軸を中心に、図示しない移動手段によって左右方向に移動自在に設けられており、駆動ローラ６０の外周面は、版胴７の外周面に対して接離自在となるように構成されている。内部に使用済みのマスタを貯容する排版ボックス５５は、筐体に対して着脱自在に設けられており、その上方には、図３に示すように昇降駆動手段７５によって図２中の実線位置と破線位置とを選択的にとり得る上下自在な圧縮板５６が配設されている。排版部６の内部には、排版部６内への製版済マスタ３５の取込状態を検知する排版センサ７３が配接されている。排版センサ７３は、光学式の通過センサであって、互いに対向する検知部を有し、これら検知部の間に製版済マスタ３５が位置するとオン信号を出力し、用紙５０が位置しないとオフ状態とされる。
【００２８】
排紙部６は用紙５０を装置外に排出するものであって、排版部５の下方の印刷部２の用紙搬送方向の下流側に配設されている。排紙部６は剥離爪６３と従動ローラ６４と駆動ローラ６５とゴムベルト６６と吸引ファン６７と排紙トレイ６８とで主に構成されている。版胴７の外周面からインキが転移された用紙５０を剥離させる剥離爪６３は、筐体側板に回転自在に支持され、その先端を版胴７の外周面に対して接離自在に配設されている。この剥離爪６３は図示しない揺動手段によって揺動され、その揺動は版胴７の外周面上に存在するクランパ１１等の障害物がその先端と干渉しないように、版胴７の回転と同期がとられている。従動ローラ６４と駆動ローラ６５とは、筐体側板に回転自在に支持されており、各ローラ６４，６５間には表面に複数の開孔を有するゴムベルト６６が掛け渡されている。駆動ローラ６５は図３に示すうに排紙部の駆動部となる排紙駆動モータ７６により回転駆動され、その回転力はゴムベルト６６を介して従動ローラ６４に伝達される。ローラ６４，６５間の下方には、ゴムベルト６６の表面に印刷画像が形成された印刷用紙５０を吸引するための吸引ファン６７が配設されている。
【００２９】
駆動ローラ６５の用紙搬送方向の下流側には、印刷画像が形成された用紙５０を積載する排紙トレイ６８が配設されている。この排紙トレイ６８は筐体に着脱自在に取り付けられている。ローラ６５の近傍には、用紙５０が排紙トレイ６８に排紙されたことを検知する排紙センサ７９が配設されている。排紙センサ７９は、光学式の通過センサであって、互いに対向する検知部を有し、これら検知部の間に用紙５０が位置するとオン信号を出力し、用紙５０が位置しないとオフ状態とされる。このセンサは状況検知手段として機能する。
【００３０】
制御手段２４は、孔版印刷装置１の動作を制御するもので、図３に示すようにその主要部をＣＰＵ８５、ＲＯＭ８６及びＲＡＭ８７で構成されている。ＣＰＵ８５には、ドラム駆動モータ１２、カットモータ７１、排版駆動モータ７４、排紙駆動モータ７６、ステッピングモータ７７、製版駆動モータ７８とともに、ホームポジションセンサ２６、排版センサ７３、排紙センサ７９、パルスカウンタ及び比較器９２、表示手段９３、電源オン／オフスイッチ９４、製版スタートスイッチ９５、および印刷スタートスイッチ９６がそれぞれ接続されている。
【００３１】
ＲＯＭ８６には、判断条件則情報及び判断条件則情報に対応する復旧動作情報とが予め記憶されている。判断条件則情報は、開閉検知センサ７０からの情報とホームポジションセンサ２６からの情報と排版センサ７３からの情報とから排版部５の状況を解析する排版処理動作則と、開閉検知センサ７０からの情報とホームポジションセンサ２６からの情報とから製版部３の状況を解析する製版処理動作則とを有している。
【００３２】
排版処理動作則は、排版部３によるマスタ巻取り開始前の状況である第１排版処理則と、排版部３によるマスタ巻取り開始後の状況である第２排版処理則とを有し、製版処理動作則は、クランパ１１による製版済マスタ先端のクランプ前状況である第１製版処理則と、クランパ１１による製版済マスタ先端のクランプ後状況である第２製版処理則とを有している。
【００３３】
復旧動作情報は、第１排版処理則の場合に選択される第１排版復旧動作モードと第２排版処理則の場合に選択される第２排版復旧動作モード及び、第１製版処理則の場合に選択される第１製版復旧動作モードと第２製版処理則の場合及び印刷の場合に選択される第２製版復旧モード兼印刷復旧動作モードとを有している。
【００３４】
制御手段２４は、各センサからの検出結果と判断条件則情報とを比較して電源停止時点の各部の動作状況を解析し、解析された状況に応じて復旧動作情報を選択して対応する装置構成部に復旧動作を実行させるものである。
【００３５】
制御手段２４は、第１排版処理則の際中に装置の電源が切られた場合には第１排版復旧動作モードを、第２排版処理則の際中に装置の電源が切られた場合には第２排版復旧動作モードを選択するとともに、第１製版処理則の際中に装置の電源が切られた場合には第１製版復旧動作モードを、第２製版処理則の際中に装置の電源が切られた場合及び印刷の場合には第２製版復旧動作モード兼印刷復旧動作モードをそれぞれ選択する。
【００３６】
制御手段２４は、開閉検知センサ７０からの情報がクランパ開状態を示すオフ状態であり、ホームポジションセンサ２６からの情報が印刷ドラム７の初期位置を示すオン信号であり、排版センサ７３からの情報がマスタ取込み前状態を示すオフ状態のときには第１排版処理則と解析し、開閉検知センサ７０からの情報がクランパ開状態を示すオフ状態であり、ホームポジションセンサ２６からの情報が印刷ドラム７の初期位置を示すオン信号であり、排版センサ７３からの情報がマスタ取込み後である状態を示すオン信号のときには第２排版処理則と解析する。
【００３７】
制御手段２４は、開閉検知センサ７０からの情報がクランパ開状態であるオフ状態であり、ホームポジションセンサ２６からの情報が印刷ドラム７が初期位置にないことを示すオフ状態のときには第１製版処理則と解析する。
【００３８】
制御手段２４は、第１及び第２排版復旧動作モードの時には、ドラム駆動モータ１２を駆動して印刷ドラム７を回転（正回転）させるとともに、排版駆動モータ７４を駆動して排版部５に排版動作を行わせる。制御手段２４は、第１製版復旧動作モードが選択されたときには、カットモータ７１を駆動して製版手段３で製版された製版済マスタ３４０を切断し、第２製版復旧動作モード兼印刷復旧動作モードの時にはカットモータ７１を駆動して製版手段３で製版された製版済マスタ３４０を切断するとともにドラム駆動モータ１２を駆動して印刷ドラム７を印刷時の回転方向に１回転以上回転させるとともに排紙駆動モータ７６を排紙センサ７９からの出力がなくなるまで駆動する。表示手段９３は、第１製版復旧動作モードの際に、第１製版復旧モードが選択されていると、制御手段２４によって通電されて点灯するように構成されている。
【００３９】
このような構成の制御手段２４による電源再投入時の装置のイニシャル処理について図１のフローチャートを用いて説明する。
図１に示すフローチャートは、孔版印刷装置１の電源が、装置動作中に停電などによって落とされた後、電源オン／オフスイッチ９４が操作されて電源が再投入された場合に開始する。ステップＳ１では、装置各部の状態が各センサからの情報によって検出され、ステップＳ２においてセンサからの情報と検知判断状況則情報とを用いて装置の状態を解析する。
【００４０】
ステップＳ３では、第１排版処理則中の電源オフか否かが判断され、第１排版処理則中の電源オフと判断された場合には、ステップＳ４に進んで第１排版復旧処理モードを選択して復旧動作を実行した後、ステップＳ５に進んで装置各部を初期状態としてこの制御を終える。
【００４１】
ステップＳ３において、第１排版処理則中の電源オフでなければステップＳ６に進み、第２排版処理則中の電源オフであるか否かが判断される。第２排版処理則中の電源オフと判断された場合には、ステップＳ７に進んで第２排版復旧処理モードを選択して復旧動作を実行した後、ステップＳ５に進んで装置各部を初期状態としてこの制御を終える。
【００４２】
ステップＳ６において、第２排版処理則中の電源オフでなければステップＳ８に進み、第１製版処理則中の電源オフであるか否かが判断される。第１製版処理則中の電源オフと判断された場合には、ステップＳ９に進んで第１製版復旧処理モードを選択して復旧動作を実行した後、ステップＳ５に進んで装置各部を初期状態としてこの制御を終える。
【００４３】
ステップＳ８において、第１製版処理則中の電源オフでなければステップＳ１０に進み、第２製版処理則中又は印刷処理中の電源オフであるか否かが判断される。第２製版処理則中又は印刷処理中の電源オフと判断された場合には、ステップＳ１１に進んで第２製版復旧処理モード兼印刷復旧処理モードを選択して復旧動作を実行した後、ステップＳ５に進んで装置各部を初期状態としてこの制御を終える。ステップＳ１０において第２製版処理則中又は印刷処理中の電源オフでなければ、装置稼動中の電源停止でないものとしてステップＳ５に進んで装置各部を初期状態としてこの制御を終える。
【００４４】
このように、排版部５によるマスタ巻取り開始前の状況である第１排版処理則と、排版部５によるマスタ巻取り開始後の状況である第２排版処理則とを、開閉検知センサ７０やホームポジションセンサや排版センサのオン／オフ状態から解析し、ドラム駆動モータ１２を駆動して版胴７を回転させるとともに、排版駆動モータ７４を駆動するので、排版部５に排版動作を自動的に行わせることができる。
【００４５】
クランパ１１による製版済マスタ先端のクランプ前状況である第１製版処理則やクランパ１１による製版済マスタ先のクランプ後状況である第２製版処理則とを、開閉検知センサ７０、ホームポジションセンサ２６、第１製版復旧動作モードの時には、カットモータ７１を駆動して製版済マスタ３４０を切断し、第２製版復旧動作モード兼印刷復旧動作モードの時には、カットモータ７１を駆動して製版済マスタ３４０を切断するとともに、ドラム駆動モータ１２を駆動して版胴７を印刷時の回転方向に１回転以上回転させ、排紙駆動モータ７６を駆動するので、製版途中のマスタは、切断された状態とされるか、あるいは切断されてクランパ１１に把持されて版胴７の外周面に巻装されるので、製版部３に製版動作を自動的に行わせることができる。
【００４６】
製版済マスタ３４０が切断状態とされる第１製版復旧動作モードの場合には、表示手段９３が点灯されるので、装置操作者に切断されたマスタの存在を知らせることができる。
【００４７】
【発明の効果】
本発明によれば、状態検出手段からの検出結果と判断条件則情報とを比較して電源停止時点の各部の動作状況を解析し、解析された状況に応じて復旧動作情報を選択して対応する部に復旧動作を制御手段によって実行させるので、バックアップメモリを用いることなく装置動作中の電源停止後に再度電源を入れた場合の自動復旧動作を行え、装置の操作性向上を図れる。
【００４８】
本発明によれば、排版中の電源停止後の電源投入時には、第１または第２排版復旧動作モードが選択され、ドラム駆動部を駆動して印刷ドラムが回転させるとともに、排版駆動部を駆動して排版部に排版動作を行わせるので、排版途中のマスタの排版動作が自動的に行える。
【００４９】
本発明によれば、製版中の電源停止後の電源投入時において、第１製版復旧動作モードの時には切断駆動部を駆動して製版手段で製版されたマスタを切断し、第２製版復旧動作モード兼印刷復旧動作モードの時には切断駆動部を駆動して製版手段で製版されたマスタを切断するとともにドラム駆動部を駆動して印刷ドラムを印刷時の回転方向に１回転以上回転させ、排紙部の駆動部を駆動するので、製版途中のマスタを切断しながら、版付けに用いる用紙を装置外部に排出することができる。
【００５０】
本発明によれば、第１製版復旧動作モードの際には、表示手段により第１製版復旧モードが選択されていることが表示されるので、装置利用者はその表示から製版初期において電源が停止して切断されたマスタが装置内に残っていることを認識することができる。
【図面の簡単な説明】
【図１】本発明の制御手段による制御の一例を示すフローチャートである。
【図２】本発明にかかる孔版印刷装置の一形態を示す要部概略図である。
【図３】本発明で用いられる制御手段のブロック図である。
【符号の説明】
１    孔版印刷装置
２    印刷部
３    製版部
５    排版部
６    排紙部
７    印刷ドラム
９    印圧部材
１１    クランパ
１２    ドラム駆動部
２４    制御手段
２６    ホームポジションセンサ（状態検知手段）
３０    切断手段
７０    開閉検知センサ（状態検知手段）
７１    切断駆動部
７３    排版センサ（状態検知手段）
７４    排版駆動部
７６    排紙駆動部
９６    印刷スタートスイッチ
３４０    製版済マスタ
【図１】
2004188789.tif 000003
【図２】
2004188789.tif 000004
【図３】
2004188789.tif 000005